【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、前記方法は、
ユーザ機器（ＵＥ）において、間欠受信（ＤＲＸ）動作モードで動作することと、
前記ＵＥによって、時間期間ごとに少なくとも１回、前記ＵＥと基地局（ＢＳ）との間のリンク品質を評価すること、ここにおいて、前記時間期間が、前記ＤＲＸ動作モードで動作する前記ＵＥのＤＲＸサイクルの長さと、基準信号（ＲＳ）送信の周期性を示すＲＳ期間とに基づく、と、
を備える、方法。
【請求項２】
前記時間期間が、前記ＤＲＸサイクルの前記長さと前記ＲＳ期間とのうちのより大きいほうである、請求項１に記載の方法。
【請求項３】
前記時間期間が、前記ＤＲＸサイクルの前記長さと前記ＲＳ期間の倍数とのうちのより大きいほうである、請求項１に記載の方法。
【請求項４】
前記ＵＥによって、時間期間ごとに少なくとも１回、前記ＵＥと前記ＢＳとの間のリンク品質を評価することが、少なくとも２回、前記ＢＳによって送信されたＲＳを測定することを備え、ここにおいて、少なくとも２回、前記ＢＳによって送信されたＲＳを測定することは、前記ＢＳによって送信された第１のＲＳと前記ＢＳによって送信された第２のＲＳとが前記時間期間の少なくとも１／２だけ分離されるように、前記第１のＲＳと前記第２のＲＳとを測定することを備える、請求項１に記載の方法。
【請求項５】
前記ＲＳが、同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、またはチャネル状態情報基準信号（ＣＳＩ−ＲＳ）のうちの１つを備える、請求項１に記載の方法。
【請求項６】
リンク品質を評価することは、
前記ＢＳによって送信されるＲＳがその上で送信される、チャネルの１つまたは複数の測定値を決定するために、時間期間ごとに少なくとも１回、前記ＲＳを測定すること、  前記ＵＥと前記ＢＳとの間のリンクが、アクティブであるのか無線リンク障害状態にあるのかを決定すること、または
前記ＵＥが、前記ＢＳに関してサービス中にあるのかサービス外にあるのかを決定すること
のうちの少なくとも１つを備える、請求項１に記載の方法。
【請求項７】
前記評価されたリンク品質に基づいて、
接続すべき別のＢＳについて前記ＵＥによってセル探索を選択的に始動すること、
別のＢＳに接続するためにセル再選択を選択的に実施すること、または
別のＢＳへのハンドオーバを選択的に実施すること
のうちの１つをさらに備える、請求項１に記載の方法。
【請求項８】
前記ＤＲＸサイクルが、短期ＤＲＸサイクルまたは長期ＤＲＸサイクルのうちの少なくとも１つを備える、請求項１に記載の方法。
【請求項９】
前記ＤＲＸ動作モードで前記ＵＥを動作させることは、
前記ＤＲＸサイクルの１つまたは複数の指定されたアクティブ期間中に、アクティブ状態で前記ＵＥを動作させることと、
前記ＤＲＸサイクルの１つまたは複数の指定されたスリープ期間中に、前記アクティブ状態または１つまたは複数の低電力状態で前記ＵＥを動作させること、ここにおいて、前記ＵＥが、前記１つまたは複数の指定されたアクティブ期間、または前記１つまたは複数の指定されたスリープ期間のうちの少なくとも１つにおいてリンク品質を評価する、と、を備える、請求項１に記載の方法。
【請求項１０】
ユーザ機器（ＵＥ）であって、
間欠受信（ＤＲＸ）動作モードで前記ＵＥを動作させるための手段と、
時間期間ごとに少なくとも１回、前記ＵＥと基地局（ＢＳ）との間のリンク品質を評価するための手段、ここにおいて、前記時間期間が、前記ＤＲＸ動作モードで動作する前記ＵＥのＤＲＸサイクルの長さ、基準信号（ＲＳ）送信の周期性を示すＲＳ期間とに基づく、と、
を備える、ユーザ機器（ＵＥ）。
【請求項１１】
前記時間期間が、前記ＤＲＸサイクルの前記長さと前記ＲＳ期間とのうちのより大きいほうである、請求項１０に記載のＵＥ。
【請求項１２】
前記ＵＥによって、時間期間ごとに少なくとも１回、前記ＵＥと前記ＢＳとの間のリンク品質を評価するための手段が、少なくとも２回、前記ＢＳによって送信されたＲＳを測定するための手段を備え、ここにおいて、少なくとも２回、前記ＢＳによって送信されたＲＳを測定するための手段は、前記ＢＳによって送信された第１のＲＳと前記ＢＳによって送信された第２のＲＳとが前記時間期間の少なくとも１／２だけ分離されるように、前記第１のＲＳと前記第２のＲＳとを測定するための手段を備える、請求項１０に記載のＵＥ。
【請求項１３】
前記ＲＳが、同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、またはチャネル状態情報基準信号（ＣＳＩ−ＲＳ）のうちの１つを備える、請求項１０に記載のＵＥ。
【請求項１４】
リンク品質を評価するための手段は、
前記ＢＳによって送信されるＲＳがその上で送信される、チャネルの１つまたは複数の測定値を決定するために、時間期間ごとに少なくとも１回、前記ＲＳを測定するための手段、
前記ＵＥと前記ＢＳとの間のリンクが、アクティブであるのか無線リンク障害状態にあるのかを決定するための手段、または
前記ＵＥが、前記ＢＳに関してサービス中にあるのかサービス外にあるのかを決定するための手段
のうちの少なくとも１つを備える、請求項１０に記載のＵＥ。
【請求項１５】
命令を記憶する非一時的コンピュータ可読記憶媒体であって、前記命令が、ユーザ機器（ＵＥ）によって実行されたとき、前記ＵＥに請求項１〜９のいずれかに記載された方法を実施させる、非一時的コンピュータ可読記憶媒体。
【手続補正２】
【補正対象書類名】明細書
【補正対象項目名】０１０６
【補正方法】変更
【補正の内容】
【０１０６】
[0115]特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
以下に本願の出願当初の特許請求の範囲に記載された発明を付記する。
［Ｃ１］
ワイヤレス通信のための方法であって、前記方法は、
ユーザ機器（ＵＥ）において、間欠受信（ＤＲＸ）動作モードで動作することと、
前記ＵＥによって、時間期間ごとに少なくとも１回、前記ＵＥと基地局（ＢＳ）との間のリンク品質を評価すること、ここにおいて、前記時間期間が、前記ＤＲＸ動作モードで動作する前記ＵＥのＤＲＸサイクルの長さと基準信号（ＲＳ）期間とに基づき、ここにおいて、前記ＢＳが、ＲＳ期間ごとに周期的にＲＳを送信するように構成された、と、
を備える、方法。
［Ｃ２］
前記時間期間が、前記ＤＲＸサイクルの前記長さと前記ＲＳ期間とのうちのより大きいほうである、Ｃ１に記載の方法。
［Ｃ３］
前記時間期間が、前記ＤＲＸサイクルの前記長さと前記ＲＳ期間の倍数とのうちのより大きいほうである、Ｃ１に記載の方法。
［Ｃ４］
前記ＵＥによって、時間期間ごとに少なくとも１回、前記ＵＥと前記ＢＳとの間のリンク品質を評価することが、少なくとも２回、前記ＢＳによって送信されたＲＳを測定することを備え、ここにおいて、少なくとも２回、前記ＢＳによって送信されたＲＳを測定することは、前記ＢＳによって送信された第１のＲＳと前記ＢＳによって送信された第２のＲＳとが前記時間期間の少なくとも１／２だけ分離されるように、前記第１のＲＳと前記第２のＲＳとを測定することを備える、Ｃ１に記載の方法。
［Ｃ５］
前記ＲＳが、同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、またはチャネル状態情報基準信号（ＣＳＩ−ＲＳ）のうちの１つを備える、Ｃ１に記載の方法。
［Ｃ６］
リンク品質を評価することは、
前記ＢＳによって送信されるＲＳがその上で送信される、チャネルの１つまたは複数の測定値を決定するために、時間期間ごとに少なくとも１回、前記ＲＳを測定すること、  前記ＵＥと前記ＢＳとの間のリンクが、アクティブであるのか無線リンク障害状態にあるのかを決定すること、または
前記ＵＥが、前記ＢＳに関してサービス中にあるのかサービス外にあるのかを決定すること
のうちの少なくとも１つを備える、Ｃ１に記載の方法。
［Ｃ７］
前記評価されたリンク品質に基づいて、
接続すべき別のＢＳについて前記ＵＥによってセル探索を選択的に始動すること、
別のＢＳに接続するためにセル再選択を選択的に実施すること、または
別のＢＳへのハンドオーバを選択的に実施すること
のうちの１つをさらに備える、Ｃ１に記載の方法。
［Ｃ８］
前記ＤＲＸサイクルが、短期ＤＲＸサイクルまたは長期ＤＲＸサイクルのうちの少なくとも１つを備える、Ｃ１に記載の方法。
［Ｃ９］
前記ＤＲＸ動作モードで前記ＵＥを動作させることは、
前記ＤＲＸサイクルの１つまたは複数の指定されたアクティブ期間中に、アクティブ状態で前記ＵＥを動作させることと、
前記ＤＲＸサイクルの１つまたは複数の指定されたスリープ期間中に、前記アクティブ状態または１つまたは複数の低電力状態で前記ＵＥを動作させること、ここにおいて、前記ＵＥが、前記１つまたは複数の指定されたアクティブ期間、または前記１つまたは複数の指定されたスリープ期間のうちの少なくとも１つにおいてリンク品質を評価する、と、を備える、Ｃ１に記載の方法。
［Ｃ１０］
ユーザ機器（ＵＥ）であって、
メモリと、
前記メモリに結合されたプロセッサと
を備え、前記プロセッサは、
間欠受信（ＤＲＸ）動作モードで前記ＵＥを動作させることと、
時間期間ごとに少なくとも１回、前記ＵＥと基地局（ＢＳ）との間のリンク品質を評価すること、ここにおいて、前記時間期間が、前記ＤＲＸ動作モードで動作する前記ＵＥのＤＲＸサイクルの長さと基準信号（ＲＳ）期間とに基づき、ここにおいて、前記ＢＳが、ＲＳ期間ごとに周期的にＲＳを送信するように構成された、と、
を行うように構成された、ユーザ機器（ＵＥ）。
［Ｃ１１］
前記時間期間が、前記ＤＲＸサイクルの前記長さと前記ＲＳ期間とのうちのより大きいほうである、Ｃ１０に記載のＵＥ。
［Ｃ１２］
前記時間期間が、前記ＤＲＸサイクルの前記長さと前記ＲＳ期間の倍数とのうちのより大きいほうである、Ｃ１０に記載のＵＥ。
［Ｃ１３］
時間期間ごとに少なくとも１回、前記ＵＥと前記ＢＳとの間のリンク品質を評価することが、少なくとも２回、前記ＢＳによって送信されたＲＳを測定することを備え、ここにおいて、少なくとも２回、前記ＢＳによって送信されたＲＳを測定することは、前記ＢＳによって送信された第１のＲＳと前記ＢＳによって送信された第２のＲＳとが前記時間期間の少なくとも１／２だけ分離されるように、前記第１のＲＳと前記第２のＲＳとを測定することを備える、Ｃ１０に記載のＵＥ。
［Ｃ１４］
前記ＲＳが、同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、またはチャネル状態情報基準信号（ＣＳＩ−ＲＳ）のうちの１つを備える、Ｃ１０に記載のＵＥ。
［Ｃ１５］
リンク品質を評価することは、
前記ＢＳによって送信されるＲＳがその上で送信される、チャネルの１つまたは複数の測定値を決定するために、時間期間ごとに少なくとも１回、前記ＲＳを測定すること、  前記ＵＥと前記ＢＳとの間のリンクが、アクティブであるのか無線リンク障害状態にあるのかを決定すること、または
前記ＵＥが、前記ＢＳに関してサービス中にあるのかサービス外にあるのかを決定すること
のうちの少なくとも１つを備える、Ｃ１０に記載のＵＥ。
［Ｃ１６］
前記プロセッサが、前記評価されたリンク品質に基づいて、
接続すべき別のＢＳについてセル探索を選択的に始動すること、
別のＢＳに接続するためにセル再選択を選択的に実施すること、または
別のＢＳへのハンドオーバを選択的に実施すること
のうちの１つを行うようにさらに構成された、Ｃ１０に記載のＵＥ。
［Ｃ１７］
前記ＤＲＸサイクルが、短期ＤＲＸサイクルまたは長期ＤＲＸサイクルのうちの少なくとも１つを備える、Ｃ１０に記載のＵＥ。
［Ｃ１８］
前記ＤＲＸ動作モードで前記ＵＥを動作させることは、
前記ＤＲＸサイクルの１つまたは複数の指定されたアクティブ期間中に、アクティブ状態で前記ＵＥを動作させることと、
前記ＤＲＸサイクルの１つまたは複数の指定されたスリープ期間中に、前記アクティブ状態または１つまたは複数の低電力状態で前記ＵＥを動作させること、ここにおいて、前記プロセッサが、前記１つまたは複数の指定されたアクティブ期間、または前記１つまたは複数の指定されたスリープ期間のうちの少なくとも１つにおいてリンク品質を評価する、と、
を備える、Ｃ１０に記載のＵＥ。
［Ｃ１９］
ユーザ機器（ＵＥ）であって、
間欠受信（ＤＲＸ）動作モードで前記ＵＥを動作させるための手段と、
時間期間ごとに少なくとも１回、前記ＵＥと基地局（ＢＳ）との間のリンク品質を評価するための手段、ここにおいて、前記時間期間が、前記ＤＲＸ動作モードで動作する前記ＵＥのＤＲＸサイクルの長さと基準信号（ＲＳ）期間とに基づき、ここにおいて、前記ＢＳが、ＲＳ期間ごとに周期的にＲＳを送信するように構成された、と、
を備える、ユーザ機器（ＵＥ）。
［Ｃ２０］
前記時間期間が、前記ＤＲＸサイクルの前記長さと前記ＲＳ期間とのうちのより大きいほうである、Ｃ１９に記載のＵＥ。
［Ｃ２１］
前記時間期間が、前記ＤＲＸサイクルの前記長さと前記ＲＳ期間の倍数とのうちのより大きいほうである、Ｃ１９に記載のＵＥ。
［Ｃ２２］
前記ＵＥによって、時間期間ごとに少なくとも１回、前記ＵＥと前記ＢＳとの間のリンク品質を評価するための手段が、少なくとも２回、前記ＢＳによって送信されたＲＳを測定するための手段を備え、ここにおいて、少なくとも２回、前記ＢＳによって送信されたＲＳを測定するための手段は、前記ＢＳによって送信された第１のＲＳと前記ＢＳによって送信された第２のＲＳとが前記時間期間の少なくとも１／２だけ分離されるように、前記第１のＲＳと前記第２のＲＳとを測定するための手段を備える、Ｃ１９に記載のＵＥ。
［Ｃ２３］
前記ＲＳが、同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、またはチャネル状態情報基準信号（ＣＳＩ−ＲＳ）のうちの１つを備える、Ｃ１９に記載のＵＥ。
［Ｃ２４］
リンク品質を評価するための手段は、
前記ＢＳによって送信されるＲＳがその上で送信される、チャネルの１つまたは複数の測定値を決定するために、時間期間ごとに少なくとも１回、前記ＲＳを測定するための手段、
前記ＵＥと前記ＢＳとの間のリンクが、アクティブであるのか無線リンク障害状態にあるのかを決定するための手段、または
前記ＵＥが、前記ＢＳに関してサービス中にあるのかサービス外にあるのかを決定するための手段
のうちの少なくとも１つを備える、Ｃ１９に記載のＵＥ。
［Ｃ２５］
命令を記憶する非一時的コンピュータ可読記憶媒体であって、前記命令が、ユーザ機器（ＵＥ）によって実行されたとき、前記ＵＥにワイヤレス通信のための方法を実施させ、前記方法は、
前記ＵＥにおいて、間欠受信（ＤＲＸ）動作モードで動作することと、
前記ＵＥによって、時間期間ごとに少なくとも１回、前記ＵＥと基地局（ＢＳ）との間のリンク品質を評価すること、ここにおいて、前記時間期間が、前記ＤＲＸ動作モードで動作する前記ＵＥのＤＲＸサイクルの長さと基準信号（ＲＳ）期間とに基づき、ここにおいて、前記ＢＳが、ＲＳ期間ごとに周期的にＲＳを送信するように構成された、と、
を備える、非一時的コンピュータ可読記憶媒体。
［Ｃ２６］
前記時間期間が、前記ＤＲＸサイクルの前記長さと前記ＲＳ期間とのうちのより大きいほうである、Ｃ２５に記載の非一時的コンピュータ可読記憶媒体。
［Ｃ２７］
前記時間期間が、前記ＤＲＸサイクルの前記長さと前記ＲＳ期間の倍数とのうちのより大きいほうである、Ｃ２５に記載の非一時的コンピュータ可読記憶媒体。
［Ｃ２８］
前記ＵＥによって、時間期間ごとに少なくとも１回、前記ＵＥと前記ＢＳとの間のリンク品質を評価することが、少なくとも２回、前記ＢＳによって送信されたＲＳを測定することを備え、ここにおいて、少なくとも２回、前記ＢＳによって送信されたＲＳを測定することは、前記ＢＳによって送信された第１のＲＳと前記ＢＳによって送信された第２のＲＳとが前記時間期間の少なくとも１／２だけ分離されるように、前記第１のＲＳと前記第２のＲＳとを測定することを備える、Ｃ２５に記載の非一時的コンピュータ可読記憶媒体。
［Ｃ２９］
前記ＲＳが、同期信号ブロック（ＳＳＢ）、セカンダリー同期信号（ＳＳＳ）、物理ブロードキャストチャネル（ＰＢＣＨ）ブロック、ＰＢＣＨの復調基準信号（ＤＭＲＳ）、またはチャネル状態情報基準信号（ＣＳＩ−ＲＳ）のうちの１つを備える、Ｃ２５に記載の非一時的コンピュータ可読記憶媒体。
［Ｃ３０］
リンク品質を評価することは、
前記ＢＳによって送信されるＲＳがその上で送信される、チャネルの１つまたは複数の測定値を決定するために、時間期間ごとに少なくとも１回、前記ＲＳを測定すること、  前記ＵＥと前記ＢＳとの間のリンクが、アクティブであるのか無線リンク障害状態にあるのかを決定すること、または
前記ＵＥが、前記ＢＳに関してサービス中にあるのかサービス外にあるのかを決定すること
のうちの少なくとも１つを備える、Ｃ２５に記載の非一時的コンピュータ可読記憶媒体。